(57)【特許請求の範囲】
【請求項１】
複数の対をなす画像処理手段と、
プログレッシブ方式の所定のフレームに対して画像処理を行う場合、上記対をなす一方の画像処理手段をインターレス方式において第１フィールドで動作する設定値で動作させ、上記対をなす他方の画像処理手段をインターレス方式において第２フィールドで動作する設定値で動作させるように制御する制御手段とを備える
デュアルリンクに対応する画像処理装置。
【請求項２】
上記制御手段は、デュアルリンクプログレッシブ方式に対応した画像処理を行うように上記画像処理手段を動作させる請求項１記載のデュアルリンクに対応する画像処理装置。
【請求項３】
上記制御手段は、プログレッシブ方式の奇数番目のフレームの画像処理を行う場合、上記一方の画像処理手段をインターレス方式において第１フィールドで動作する設定値で動作させ、上記他方の画像処理手段をインターレス方式において第２フィールドで動作する設定値で動作させ、プログレッシブ方式の偶数番目のフレームの画像処理を行う場合、上記一方の画像処理手段をインターレス方式において第２フィールドで動作する設定値で動作させ、上記他方の画像処理手段をインターレス方式において第１フィールドで動作する設定値で動作させるように制御する請求項１記載のデュアルリンクに対応する画像処理装置。
【請求項４】
上記制御手段は、デュアルリンクプログレッシブ方式に対応した画像処理を行うように上記画像処理手段を動作させる請求項３記載のデュアルリンクに対応する画像処理装置。
【請求項５】
複数の対をなす画像処理手段の動作を制御し、
プログレッシブ方式の所定のフレームに対して画像処理を行う場合に、
上記対をなす一方の画像処理手段をインターレス方式において第１フィールドで動作する設定値で動作させ、
上記対をなす他方の画像処理手段をインターレス方式において第２フィールドで動作する設定値で動作させ、
デュアルリンクに対応した画像処理を行う画像処理方法。
【請求項６】
複数の対をなす画像処理手段を備えるデュアルリンクに対応する画像処理装置に備えられるコンピュータにより実行される画像処理制御プログラムであって、
上記複数の対をなす画像処理手段の動作を制御し、プログレッシブ方式の所定のフレームに対して画像処理を行う場合に、上記対をなす一方の画像処理手段をインターレス方式において第１フィールドで動作する設定値で動作させ、上記対をなす他方の画像処理手段をインターレス方式において第２フィールドで動作する設定値で動作させる制御手段として上記コンピュータを機能させる
デュアルリンクに対応する画像処理制御プログラム。
【請求項７】
複数の対をなす画像処理手段を備えるデュアルリンクに対応する画像処理装置に備えられるコンピュータにより読み取り実行可能な画像処理制御プログラムが記録されたプログラム記録媒体であって、
上記複数の対をなす画像処理手段の動作を制御し、プログレッシブ方式の所定のフレームに対して画像処理を行う場合に、上記対をなす一方の画像処理手段をインターレス方式において第１フィールドで動作する設定値で動作させ、上記対をなす他方の画像処理手段をインターレス方式において第２フィールドで動作する設定値で動作させる制御手段として上記コンピュータを機能させる画像処理制御プログラムが記録されたプログラム記録媒体。
【発明の詳細な説明】
【技術分野】
【０００１】
本発明は、デュアルリンクに対応した画像処理を行う画像処理装置、画像処理方法、画像処理制御プログラム及びプログラム記録媒体に関する。
【背景技術】
【０００２】
従来より、テレビジョン放送局や映像編集の現場においては、エフェクトスイッチャーと呼ばれる映像合成装置を用いて、キーイングと呼ばれる特殊効果が施されている。キーイングとは、背景映像（画面を構成する主な映像信号）のうち、キーソース信号（信号レベルが所定の閾値以上である部分を、映像を重畳する領域として指定する映像信号）によって指定される領域に、キーフィル信号（背景映像に前景として重ねる映像信号）を重畳する処理である。
【０００３】
ワイプなどの画像処理は、ワイプ・キー・ジェネレータあるいはパターンジェネレータなどの波形生成手段がキー信号とする信号を生成し、それによって２つの画像を逆に切り抜いてから加算的に合成するものである。また、入力画像を切り抜くのではなく、内部発生信号（単色・複合色）を波形生成手段の生成する信号により切り抜いて、画像として使うこともある。
【０００４】
また、３Ｇ−ＳＤＩにおいて、信号振幅、信号の立ち上がり／立ち下がり時間などの物理層についての規格は、ＳＭＰＴＥ４２４Ｍで規格化されており、また、データ・フォーマットおよびマッピングについてはＳＭＰＴＥ４２５Ｍで規格化されている。
【０００５】
ＳＭＰＴＥ４２５Ｍで規定されているデータ・フォーマットならびにマッピング方式は、ＨＤ−ＳＤＩを倍速にしたもの（１０８０ｐ５０／５９．９４／６０）もあるが、１２ビット伝送のものやデュアルリンク（Ｄｕａｌ  Ｌｉｎｋ）ＨＤ−ＳＤＩを３Ｇ−ＳＤＩに変換するもの、２系統のＨＤ−ＳＤＩを３Ｇ−ＳＤＩに変換するものがある。ＳＭＰＴＥ４２４Ｍは、シリアル伝送の電気的な仕様について規定している。また、２本のデータ・ストリームを１本のデータ・ストリームにまとめる際の規則を規定している。規格化されている項目は、ＳＤ−ＳＤＩやＨＤ−ＳＤＩと同じように、振幅、立ち上がり／立ち下り時間、立ち上がり／立ち下り時間差、ＤＣ  オフセット、リターン・ロスなどである。
【０００６】
【特許文献１】特開２０００−１９７０７２号公報
【特許文献２】特開２００７−１３４６６号公報
【発明の開示】
【発明が解決しようとする課題】
【０００７】
ところで、回路を構成する素子（デバイス）の信号処理速度には限界があり、より高速な処理を行うことは不可能か、より高価（価格が２倍以上）である素子が必要になる。
【０００８】
デュアルリンクを使うことで、安価な素子を２系統分用意するだけで済み、結果として安価となる。
【０００９】
また、高速な処理を行う回路は、高周波回路に特有の問題が発生するため、基板として設計すること自体に困難がある。
【００１０】
このため、半分の処理速度の基板のほうが設計が容易であり、結果として安価となる。
【００１１】
さらに、ビデオ信号としては、インターレス方式であるかプログレッシブ方式であるかの違いのみの２種類の信号形式が標準規格として存在し、インターレス方式のビデオ信号を処理する回路をデュアルリンク方式で動作させることでプログレッシブ方式のビデオ信号を処理させることができる。
【００１２】
このため、同じ機器・基板を、運用時の用途に応じて２種類の信号フォーマットで使用することができるので、経済的である。
【００１３】
また製造面でも、１種類の回路・基板を製造するだけで２種類の信号フォーマットに対応できるので、量産効果も期待でき、経済的である。
【００１４】
従来、デュアルリンクにおいては、ワイプなどの画像処理を行う場合、波形処理手段は前記処理回路の一部であるので２系統分、設けられる。
【００１５】
そして、デュアルリンクであるので、全く同じに制御され、同じ波形を生成することになる。
【００１６】
その結果、従来、インターレス信号に対して行われていた例えば図９の（Ａ）に示すような画像処理を、プログレッシブ信号に対して実行することにより得られる最終画像出力は、図９の（Ｂ）に示すようにフレーム毎に異なるものとなってしまっていた。
【００１７】
すなわち、従来のデュアルリンクに対応した画像処理では、２系統の処理が全く同じであるために、生成波形は垂直方向の解像度が半分になり、品質を損なう結果になっている。
【００１８】
本発明の目的は、上述の如き従来の実情に鑑み、デュアルリンクにおいて高品質なワイプなどの画像処理を実現することにある。
【００１９】
本発明の更に他の目的、本発明によって得られる具体的な利点は、以下に説明される実施の形態の説明から一層明らかにされる。
【課題を解決するための手段】
【００２０】
本発明に係る画像処理装置は、複数の対をなす画像処理手段と、プログレッシブ方式の所定のフレームに対して画像処理を行う場合、上記対をなす一方の画像処理手段をインターレス方式において第１フィールドで動作する設定値で動作させ、上記対をなす他方の画像処理手段をインターレス方式において第２フィールドで動作する設定値で動作させるように制御する制御手段とを備える。
【００２１】
本発明に係る画像処理装置において、上記制御手段は、例えば、プログレッシブ方式の奇数番目のフレームの画像処理を行う場合、上記一方の画像処理手段を、インターレス方式において第１フィールドで動作する設定値で動作させ、上記他方の画像処理手段を、インターレス方式において第２フィールドで動作する設定値で動作させ、プログレッシブ方式の偶数番目のフレームの画像処理を行う場合、上記一方の画像処理手段を、インターレス方式において第２フィールドで動作する設定値で動作させ、上記他方の画像処理手段を、インターレス方式において第１フィールドで動作する設定値で動作させるように制御するものとすることができる。
【００２２】
また、本発明に係る画像処理方法は、複数の対をなす画像処理手段の動作を制御し、プログレッシブ方式の所定のフレームに対して画像処理を行う場合に、上記対をなす一方の画像処理手段をインターレス方式において第１フィールドで動作する設定値で動作させ、上記対をなす他方の画像処理手段をインターレス方式において第２フィールドで動作する設定値で動作させ、デュアルリンクに対応した画像処理を行う。
また、本発明は、複数の対をなす画像処理手段を備えるデュアルリンクに対応する画像処理装置に備えられるコンピュータにより実行される画像処理制御プログラムであって、上記複数の対をなす画像処理手段の動作を制御し、プログレッシブ方式の所定のフレームに対して画像処理を行う場合に、上記対をなす一方の画像処理手段をインターレス方式において第１フィールドで動作する設定値で動作させ、上記対をなす他方の画像処理手段をインターレス方式において第２フィールドで動作する設定値で動作させる制御手段として上記コンピュータを機能させる。
さらに、本発明は、複数の対をなす画像処理手段を備えるデュアルリンクに対応する画像処理装置に備えられるコンピュータにより読み取り実行可能な画像処理制御プログラムが記録されたプログラム記録媒体であって、上記複数の対をなす画像処理手段の動作を制御し、プログレッシブ方式の所定のフレームに対して画像処理を行う場合に、上記対をなす一方の画像処理手段をインターレス方式において第１フィールドで動作する設定値で動作させ、上記対をなす他方の画像処理手段をインターレス方式において第２フィールドで動作する設定値で動作させる制御手段として上記コンピュータを機能させる画像処理制御プログラムが記録されている
【発明の効果】
【００２３】
本発明では、複数の対をなす画像処理手段の動作を制御し、プログレッシブ方式の所定のフレームに対して画像処理を行う場合に、上記対をなす一方の画像処理手段をインターレス方式において第１フィールドで動作する設定値で動作させ、上記対をなす他方の画像処理手段をインターレス方式において第２フィールドで動作する設定値で動作させ、デュアルリンクに対応した画像処理を行うことにより、デュアルリンクにおいても高品質な内部生成信号を得ることができ、また、高品質なワイプなどの画像処理を実現することができる。
【発明を実施するための最良の形態】
【００２４】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００２５】
本発明は、例えば図１に示すように、画像再生装置１や撮像装置２からデュアルリンクで供給される画像信号に第１の画像処理部２０Ａと第２の画像処理部２０Ｂでワイプ処理を施してモニター装置３、４にデュアルリンクで出力する画像処理システム５におけるエフェクトスイッチャー装置１００に適用される。
【００２６】
図１のＣＨ１およびＣＨ２は、デジタル特殊効果部であり、入力された画像信号を一旦メモリに書き込む回路を有し、入力画面に対して座標変換などを施して出力画像を形成し、出力するものであり、画像の拡大縮小や変形などの特殊効果を行う。本発明の特徴となる部分・機能とは直接関係しない。内部で波形生成回路を使用する場合は、本発明を適用することもできるが、それを実現する構成・動作は以下で説明するエフェクトスイッチャー装置と同じであるので、説明は省略する。
【００２７】
図１では、第１の画像処理部２０ＡがリンクＡ側を処理し、第２の画像処理部２０ＢがリンクＢ側を処理するように、入出力の接続がなされる様子の概略を図示している。また第２の画像処理部２０Ａは、第１の画像処理部２０Ｂの制御にリンクして制御されることを、リンクの矢印で示している。
【００２８】
このエフェクトスイッチャー装置１００は、例えば図２に示すように、入力ラインＬ１〜Ｌ９に入力された映像信号を選択するマトリクススイッチャ部１０、上記入力ラインＬ１〜Ｌ９に入力された映像信号が上記マトリクススイッチャ部１０を介して供給される第１の画像処理部２０Ａ、上記入力ラインＬ１〜Ｌ９に入力された映像信号が上記マトリクススイッチャ部１０を介して供給される第２の画像処理部２０Ｂ、これらを制御する制御部３０などからなる主ユニット４０と、上記主ユニット４０の上記制御部３０に通信路５０を介して接続された選択入力部６０とを備える。
【００２９】
このエフェクトスイッチャー装置１００において、上記入力ラインＬ１〜Ｌ９には、キーソース信号またはキーフィル信号となる映像信号が入力される。
【００３０】
上記マトリクススイッチャ部１０は、上記入力ラインＬ１〜Ｌ９に入力される映像信号のうちの１つをキーソース信号として上記第１の画像処理部２０Ａに供給するキーソース信号選択入力バス１１Ａに接続されたスイッチからなるキーソース交点列１２Ａとを備える。また、このマトリクススイッチャ部１０は、上記入力ラインＬ１〜Ｌ９に入力される映像信号のうちの１つをキーフィル信号として上記第１の画像処理部２０Ａに供給するキーフィル信号選択入力バス１３Ａに接続されたスイッチからなるキーフィル交点列１４Ａを備える。また、このマトリクススイッチャ部１０は、上記入力ラインＬ１〜Ｌ９に入力される映像信号のうちの１つを第１の背景信号として上記第１の画像処理部２０Ａに供給する第１の背景信号選択入力バス１５Ａに接続されたスイッチからなる第１の背景交点列１６Ａを備える。また、このマトリクススイッチャ部１０は、上記入力ラインＬ１〜Ｌ９に入力される映像信号のうちの１つを第２の背景信号として上記第１の画像処理部２０Ａに供給する第２の背景信号選択入力バス１７Ａに接続されたスイッチからなる第２の背景交点列１８Ａを備える。また、このマトリクススイッチャ部１０は、上記入力ラインＬ１〜Ｌ９に入力される映像信号のうちの１つをキーソース信号として上記第２の画像処理部２０Ｂに供給するキーソース信号選択入力バス１１Ｂに接続されたスイッチからなるキーソース交点列１２Ｂを備える。また、このマトリクススイッチャ部１０は、上記入力ラインＬ１〜Ｌ９に入力される映像信号のうちの１つをキーフィル信号として上記第２の画像処理部２０Ｂに供給するキーフィル信号選択入力バス１３Ｂに接続されたスイッチからなるキーフィル交点列１４Ｂを備える。また、このマトリクススイッチャ部１０は、上記入力ラインＬ１〜Ｌ９に入力される映像信号のうちの１つを第１の背景信号として上記第２の画像処理部２０Ｂに供給する第１の背景信号選択入力バス１５Ｂに接続されたスイッチからなる第１の背景交点列１６Ｂを備える。さらに、このマトリクススイッチャ部１０は、上記入力ラインＬ１〜Ｌ９に入力される映像信号のうちの１つを第２の背景信号として上記第２の画像処理部２０Ｂに供給する第２の背景信号選択入力バス１７Ｂに接続されたスイッチからなる第２の背景交点列１８Ｂを備える。
【００３１】
上記第１の画像処理部２０Ａは、キー処理回路２１Ａと合成回路２２Ａからなる。
【００３２】
上記キー処理回路２１Ａは、上記キーソース信号選択入力バス１１Ａと上記キーフィル信号選択入力バス１３Ａに接続されている。そして、このキー処理回路２１Ａは、上記入力ラインＬ１〜Ｌ９に入力される映像信号から選択されたキーソース信号とキーフィル信号が上記キーソース信号選択入力バス１１Ａと上記キーフィル信号選択入力バス１３Ａを介して入力される。そして、このキー処理回路２１Ａは、上記制御部３０からの制御信号に応じたキー信号を入力されたキーソース信号あるいは内蔵する波形生成回路（ワイプパターン生成回路）によって生成する処理を行う。そして、このキー処理回路２１Ａは、上記キー信号と上記キーフィル信号を上記合成回路２２Ａに供給する。
【００３３】
また、上記合成回路２２Ａは、上記キー処理回路２１Ａに接続されているとともに、上記第１の背景信号選択入力バス１５Ａと上記第２の背景信号選択入力バス１７Ａに接続されている。この合成回路２２Ａには、上記キー処理回路２１Ａからキー信号とキーフィル信号が入力される。また、この合成回路２２Ａには、上記入力ラインＬ１〜Ｌ９に入力される映像信号から選択された第１の背景信号と第２の背景信号が上記第１の背景信号選択入力バス１５Ａと上記第２の背景信号選択入力バス１７Ａを介して入力される。そして、この合成回路２２Ａは、上記キー処理回路２１Ａから与えられるキー信号で示される領域は上記第１の背景信号又は上記第２の背景信号に置き換えてキーフィル信号を合成するキーイング処理を行う。
【００３４】
また、上記第２の画像処理部２０Ｂは、キー処理回路２１Ｂと合成回路２２Ｂからなる。
【００３５】
上記キー処理回路２１Ｂは、上記キーソース信号選択入力バス１１Ｂと上記キーフィル信号選択入力バス１３Ｂに接続されている。そして、このキー処理回路２１Ｂは、上記入力ラインＬ１〜Ｌ９に入力される映像信号から選択されたキーソース信号とキーフィル信号が上記キーソース信号選択入力バス１１Ｂと上記キーフィル信号選択入力バス１３Ｂを介して入力される。そして、このキー処理回路２１Ｂは、上記制御部３０からの制御信号に応じたキー信号を入力されたキーソース信号あるいは内蔵する波形生成回路（ワイプパターン生成回路）によって生成する処理を行う。そして、このキー処理回路２１Ｂは、上記キー信号と上記キーフィル信号を上記合成回路２２Ｂに供給する。
【００３６】
また、上記合成回路２２Ｂは、上記キー処理回路２１Ｂに接続されているとともに、上記第１の背景信号選択入力バス１５Ｂと上記第２の背景信号選択入力バス１７Ｂに接続されている。この合成回路２２Ｂには、上記キー処理回路２１Ｂからキー信号とキーフィル信号が入力される。また、この合成回路２２Ｂには、上記入力ラインＬ１〜Ｌ９に入力される映像信号から選択された第１の背景信号と第２の背景信号が上記第１の背景信号選択入力バス１５Ｂと上記第２の背景信号選択入力バス１７Ｂを介して入力される。そして、この合成回路２２Ｂは、上記キー処理回路２１Ｂから与えられるキー信号で示される領域は上記第１の背景信号又は上記第２の背景信号に置き換えてキーフィル信号を合成するキーイング処理を行う。
【００３７】
以上の説明では、キー信号が二値で、背景信号かキーフィル信号かを指定するように説明をしたが、より詳しくは、キー信号が二値ではなく濃度を示し、キーフィル信号を背景信号に重ねる濃度を多値で示す。したがって、背景が見えたまま、キーフィル信号が半透過的に見える様な部分を持つ画像処理を行うことも可能である。
【００３８】
さらに、上記制御部３０は、マイクロコンピュータからなり、上記選択入力部６０から上記通信路５０を介して与えられる上記選択入力信号に応じた制御信号を生成して、制御線３５を介して上記マトリクススイッチャ部１０、上記第１の画像処理部２０Ａ及び上記第２の画像処理部２０Ｂの各動作を制御する。
【００３９】
上記選択入力部６０は、ボタン配置部６１、キーボード６２、マウスなどのポインティングデバイス６３、グラフィカルディスプレイ６４などが接続されたマイクロコンピュータ６５からなる。ボタン配置部６１のボタンで入力の選択が操作されると、主ユニットのマトリクススイッチャ部１０では、対になる入力をＡ側とＢ側でそれぞれ選択する様に動作する。例えば、入力Ｌ１が第一画像信号のリンクＡ側で、入力Ｌ２が第一画像信号のリンクＢ側である場合、第1の背景に対して第一画像信号の選択が操作されると、第1の背景交点列１６ＡにおいてＬ１を選択し、第２の背景交点列１６ＢにおいてＬ２を選択する動作を行う。他の入力対や交点列についても、同様の動作を行う。なお、同じ装置でインターレス方式の画像を扱う場合は、このような対でのスイッチングを行わず、操作と一対一の対応で、スイッチングを行うだけで良い。
【００４０】
このエフェクトスイッチャー装置１００では、上記選択入力部６０が上記主ユニット４０の上記制御部３０と通信路５０を介して通信を行い、各種処理の実行を指示する。
【００４１】
合成回路２２Ａはまた、第１の背景信号選択入力バス１５Ａと第２の背景信号選択入力バス１７Ａとから、背景信号の入力を受け、選択入力部６０からの指示に従い、いずれかの背景信号を用いるか、あるいは指示された比率で指示された合成方法で２つの背景信号を合成して、キーイング処理に用いる合成後の背景信号とする。上記比率は、選択入力部のフェーダーレバーなどで手動で指示されたり、自動遷移（自動進行）動作の場合は、時間とともに変化して、一方の背景信号から他方の背景信号へ切り替わる様に制御される。上記合成方法は、例えばミックスとして、上記比率で２つの背景信号を各画素毎に重み付け加算（例えば、比率が３０％ならば、第１の背景信号の値に０．３を乗算した値と、第２の背景信号の値に０．７を乗算した値とを、加算する）を行う。あるいは別の上記合成方法としては、ワイプとして、図２のワイプキー波形生成回路（WKG：Wipe Key Generator）２６Ａから供給されるワイプ用キー信号によって、第１の背景信号に第２の背景信号をキーイングで重ねる処理を行う。ワイプキー波形生成回路６の生成するキー信号は、上記比率とともに変化するものであり、自動遷移ならば進行の時刻ｔを入力パラメータとしてワイプの境界線を決める様に生成する。自動遷移でない場合は、ｔの代わりに指示された比率を用いる。
【００４２】
以上は、合成回路２２Ｂの場合も、同様である。
【００４３】
以上では、波形生成の例として、キー処理回路２１Ａおよび２１Ｂの内部の場合と、ＷＫＧ（合成回路２２Ａおよび２２Ｂの内部）の場合を説明したが、本発明の特徴であるフィールド信号と波形生成の制御との関係はどちらも同じであるので、以降は、生成する波形をワイプ波形として、説明を行う。どちらの波形生成についても、本発明の効果であるデュアルリンクプログレッシブ方式に対応した望ましい波形の生成が、以下の説明の様に可能である。
【００４４】
ワイプ波形の生成とフィールド信号との関係を図３に示すように、上記主ユニット４０の上記制御部３０は、上記選択入力部６０からワイプ処理の実行を指示されると、プログレッシブ方式のあるフレームの画像処理時に、第１の画像処理部２０Ａの波形生成手段すなわちキー処理回路２１Ａがインターレス方式において第１フィールドで動作する設定値で上記第１の画像処理部２０Ａを動作させ、第２の画像処理部２０Ｂの波形生成手段すなわちキー処理回路２１Ｂがインターレス方式において第２フィールドで動作する設定値で上記第２の画像処理部２０Ｂを動作させ、デュアルリンクプログレッシブ方式に対応したワイプ処理を行う。
【００４５】
ここで、デュアルリンクプログレッシブ（６０Ｐ）方式の伝送では、そのデータ構造を図４に示すように、第２フィールド（Ｆ＝１）で送られる信号（ライン）の並びが、第１フィールドのものと異なることから、２ストリーム処理が複雑なものとなる。例えば、図５に示すような斜めのワイプを実現しようとすると、リンクＡ／Ｂ毎にワイプ信号の調整が必要となり、しかも、リンクＢではフィールドでの調整も必要になる。
【００４６】
例えば、図６の（Ａ）に示すように、画面に菱形のパターン（ワイプ又はキー）を出した時に、図６の（Ａ）に示した菱形のパターンの頂部領域を拡大して図６の（Ｂ），（Ｃ）に示すように、リンクＡとリンクＢの第１フィールドと第２フィールドで見え方が違ってくる。すなわち、第１フィールドでは画としてはリンクＡが先行しているために同一ラインで見るとパターン幅はリンクＡ＜リンクＢの関係になるのに対し、第２フィールドではリンクＢが先行するために、パターン幅はリンクＡ＞リンクＢの関係になる。
【００４７】
また、例えば、図７の（Ａ）に示すように、菱形のパターンが画角から少しはみ出した画を作成した場合には、図７の（Ａ）に示した菱形のパターンの頂部領域を拡大して図７の（Ｂ），（Ｃ）に示すように、第１フィールドではリンクＡ、リンクＢともに２１ラインからが画像データ領域となるために、２０ライン以下のパターンは見えず、第２フィールドではリンクＢのデータは２０ラインから画像データ領域となるために、２０ライン目のパターンは見えることになる。
【００４８】
そこで、上記ワイプ処理において、ＲＡＭＰ波形の初期値Ｐａｔｔｅｒｎ＿Ｒａｍｐ＿Ｉｎｉｔ（ｓｌｏｐｅ＿ｖ）に対して、以下のハード的制御が行なわれる。
【００４９】
リンクＡ：フィールド２＝フィールド１＋（インクリメント値の半分の値）
【００５０】
リンクＢ：フィールド１＝フィールド２＋（インクリメント値の半分の値）
フィールドの認識にはＦＬＯＥ信号（Ｆｉｅｌｄ  Ｏｄｄ／Ｅｖｅｎ信号）を使用し、これをハード的には、リンクＢ側のＦＬＯＥを反転させることにより実現する。ＦＬＯＥ信号は、フィールドがＯｄｄかＥｖｅｎかを示す信号であり、主ユニット４０の内部の同期信号発生部で生成している。同期信号発生部からは、図３のＶＤ信号およびＦＬＯＥ信号が各部に供給されている。プログレッシブ方式の処理中は、フレーム毎に反転する信号となる。同じ画像処理部であっても、ＦＬＯＥを反転して与えることで、インターレス方式の第１フィールドの動作をするか、第２フィールドの動作をするかを、逆にすることができる。なお、同じ装置でインターレス方式の画像を処理する場合は、このＦＬＯＥの反転を止めれば良い。リンクＢ側のブランキング区間を１ライン広げるようにしている。
【００５１】
この場合、上にあふれる（ライン２０）ので、ライン２０をブランクマスクして余分な部分を消す。すなわち、リンクＢのフィールド２で１ライン分ブランキングエリアにワイプが洩れ込むので、それで、ブランキングを１ライン広げる。１ライン広げてマスクするすなわち、画像としての信号を通さず遮断することで、漏れ込んだ余分な信号を消すことが出来、ブランキングエリアを画像以外の伝送に使う装置に出力画像信号を供給する場合でも、悪影響を与えない様に出来る。合成回路２２Ａおよび２２Ｂの内部で、各波形を各合成処理あるいはキー信号の生成に使用する前に、このブランキングエリアの適用を行うことで、余分な部分を含まずに合成を行うことができる。
【００５２】
また、ワイプが進行しない場合には、同じフィールド１、２を繰り返し、ワイプが進行する場合、ここでは、極単純に、ワイプの境界線を
【００５３】
ｙ＝ａｘ＋ｂ
とし、
【００５４】
ｂ＝ｋ−ｒｔ
のように、時刻ｔに応じて動いていくとする。
【００５５】
ワイプの進行は、インターレス方式であってもフィールド単位で制御されるので、片方の画像処理回路（リンクＡ又はリンクＢ）のみで考えると、
【００５６】
フィールド１では  ｙ＝  ０，２，４，６  ．．．  について、（偶数ライン）
【００５７】
フィールド２では  ｙ＝  １，３，５，７  ．．．  について、（奇数ライン）
【００５８】
ｙ＝ａｘ＋ｂ
の逆の式
【００５９】
ｘ＝（ｙ−ｂ）／ａ
によって、ワイプの境界の位置を決める。
【００６０】
デュアルリンクでは、両方の画像処理回路の出力を合わせれば、偶数ラインと奇数ラインの両方、すなわち全ラインに対して適切な処理がされた出力画像が得られる。
【００６１】
すなわち、その時点のｔに対して、全ラインについて
【００６２】
ｂ＝ｋ−ｒｔ
【００６３】
ｙ＝ａｘ＋ｂ
が成り立つようなワイプの境界線となる。
【００６４】
また、フィールド１とフィールド２とで、同じｔの値（即ちフェーダー値）に対してワイプ波形を作るのでは、進行が１／２になったり、偶数ラインと奇数ラインがずれたりしてしまうので、ｔの制御はフィールド単位（プログレッシブ方式のフレーム単位）で行う。フェーダーレバーを手動操作する場合は、時刻そのままのｔではなく、フェーダーレバーの位置に比例した値が使われ、フェーダーレバーからの値の伝達は、フィールド単位（プログレッシブ方式のフレーム単位）で滞ることなく行う。
【００６５】
このエフェクトスイッチャー装置１００では、このようにタイミング調整を行うことにより、例えば図８に示すように、デュアルリンクプログレッシブ方式に対応した画像処理を行い、フレーム毎の処理内容が変化することなく高品質なワイプなどの画像処理を行うことができる。
【００６６】
また、このエフェクトスイッチャー装置１００において、上記制御部３０は、プログレッシブ方式の奇数番目のフレームの画像処理時に第１の画像処理部２０Ａの波形生成手段すなわちキー処理回路２１Ａがインターレス方式において第１フィールドで動作する設定値で上記第１の画像処理部２０Ａを動作させ、第２の画像処理部２０Ｂの波形生成手段すなわちキー処理回路２１Ｂがインターレス方式において第２フィールドで動作する設定値で上記第２の画像処理部２０Ｂを動作させ、プログレッシブ方式の偶数番目のフレームの画像処理時に第１の画像処理部２０Ａの波形生成手段すなわちキー処理回路２１Ａがインターレス方式において第２フィールドで動作する設定値で上記第１の画像処理部２０Ａを動作させ、第２の画像処理部２０Ｂの波形生成手段すなわちキー処理回路２１Ｂがインターレス方式において第１フィールドで動作する設定値で上記第２の画像処理部２０Ｂを動作させ、デュアルリンクプログレッシブ方式に対応したワイプ処理を行うようにすることもできる。
【００６７】
これにより、第１の画像処理部２０Ａと第２の画像処理部２０Ｂを全く同じように制御した場合に、内部で波形生成した信号の作用が画面上の偶数ラインと奇数ラインとで同じになってしまい品質が劣化するという欠点を無くし、内部で波形生成した信号の作用をプログレッシブ方式本来の走査線数に応じた高品質のものとし、付加価値の高い画像を出力する装置が実現できる。
【００６８】
さらに、ブランキングエリアのマスク制御を適切に行うことで、ブランキングエリア（アンシラリーデータ）への悪影響を防ぎ、他の装置で画像信号を使用する際に支障を来さない処理が可能である。
【００６９】
また、インターレス方式の画像処理装置に使われる回路にほとんど手を加えることなく、一部の回路と制御の追加で、兼用でデュアルリンクプログレッシブ方式の処理をさせることができるため、１つの装置を運用目的に応じてインターレス方式とデュアルリンクプログレッシブ方式とに切り換えて使用でき、経済的である。
【００７０】
以上の例では、画像処理部が一対の例を示したが、これに限らず、複数の対（合計数が偶数）の画像処理部を設けて、複雑な処理を行う装置にも、本発明を適用できる。
【図面の簡単な説明】
【００７１】
【図１】本発明を適用したエフェクトスイッチャー装置を備えるデュアルリンクの画像処理システムの構成を示すブロック図である。
【図２】上記エフェクトスイッチャー装置の構成を示すブロック図である。
【図３】ワイプ波形の生成とフィールド信号との関係を模式的に示す図である。
【図４】デュアルリンクプログレッシブ（６０Ｐ）方式のデータ構造を模式的に示す図である。
【図５】斜めのワイプを実現する場合にリンクＡ／Ｂ毎に必要なワイプ信号を模式的に示す図である。
【図６】画面に菱形のパターンを出力する場合におけるリンクＡとリンクＢの第１フィールドと第２フィールドの見え方を模式的に示す図である。
【図７】菱形のパターンが画角から少しはみ出した画を作成した場合におけるリンクＡとリンクＢの第１フィールドと第２フィールドの見え方を模式的に示す図である。
【図８】上記エフェクトスイッチャー装置によりデュアルリンクに対応した画像処理をプログレッシブ信号に対して施して得られる最終画像の出力例を模式的に示す図である。
【図９】従来、インターレス信号に対して行われていたデュアルリンクに対応した画像処理をプログレッシブ信号に対して施した場合に得られる最終画像の出力例を模式的に示す図である。
【符号の説明】
【００７２】
Ｌ１〜Ｌ９  入力ライン、１０  マトリクススイッチャ部、１１Ａ，１１Ｂ  キーソース信号選択入力バス、１２Ａ，１２Ｂ  キーソース交点列、１３Ａ，１３Ｂ  キーフィル信号選択入力バス、１４Ａ，１４Ｂ  キーフィル交点列、１５Ａ，１５Ｂ  第１の背景信号選択入力バス、１６Ａ，１６Ｂ  第１の背景交点列、１７Ａ，１７Ｂ  第２の背景信号選択入力バス、１８Ａ，１８Ｂ  第２の背景交点列、２０Ａ  第１の画像処理部、２０Ｂ  第２の画像処理部、２１Ａ，２１Ｂ  キー処理回路、２２Ａ，２２Ｂ  合成回路、３０  制御部、３５  制御線、４０  主ユニット、５０  通信路、６０  選択入力部、６１  ボタン配置部、６２  キーボード、６３  ポインティングデバイス、６４  グラフィカルディスプレイ、１００  エフェクトスイッチャー装置
【図１】
0004535160.tif 000002
【図２】
0004535160.tif 000003
【図３】
0004535160.tif 000004
【図４】
0004535160.tif 000005
【図５】
0004535160.tif 000006
【図６】
0004535160.tif 000007
【図７】
0004535160.tif 000008
【図８】
0004535160.tif 000009
【図９】
0004535160.tif 000010